(57)【要約】【課題】比較的安価なコストで、コード接続型ハンドセットタイプと、コードレスハンドセットタイプとに、相互に変更することができる電話端末装置を提供する。【解決手段】電話機本体１は、一端側がコード接続型ハンドセットに接続されているカールコードの他端側が接続される端子部１１を備える。２次電池を電源として備え、無線送受信部を有するコードレスハンドセット６と、電話機本体１の端子部１１に、コード接続型ハンドセットに代えて接続されて、電話機本体１とコードレスハンドセット６との間でやり取りされる信号を無線により送受信するための無線送受信部を有するアダプタ５とを設ける。電話機本体１は、アダプタ５が端子部１１に接続されたことを検出するアダプタ接続検出手段を有し、アダプタ５が端子部１１に接続されたことが検出されたときには、コード接続型ハンドセットの載置部のフックスイッチ１５を無視するようにする。【選択図】図１
2005286760.tif 000002
【特許請求の範囲】
【請求項１】
一端側がコード接続型ハンドセットに接続されているカールコードの他端側が接続される端子部を備える電話機本体と、
２次電池を電源として備え、無線送受信部を有するコードレスハンドセットと、
前記電話機本体の前記端子部に、前記コード接続型ハンドセットに代えて接続されて、前記電話機本体と前記コードレスハンドセットとの間でやり取りされる信号を無線により送受信するための無線送受信部を有するアダプタと、
を備え、
前記電話機本体は、
前記アダプタが前記端子部に接続されたとき、前記アダプタが前記端子部に接続されたことを検出するアダプタ接続検出手段を有し、
前記アダプタ接続検出手段で、前記アダプタが前記端子部に接続されたことを検出したときには、前記コード接続型ハンドセットの載置部のフックスイッチを無視するようにする
ことを特徴とする電話端末装置。
【請求項２】
請求項１に記載の電話端末装置において、
前記端子部は、前記アダプタが接続されたときに、前記アダプタに電源を給電するようにための給電端子を備え、
前記アダプタ接続検出手段は、前記給電端子を通じて給電可能になったかどうかにより、前記アダプタが接続されたか否かを検出する
ことを特徴とする電話端末装置。
【請求項３】
請求項１に記載の電話端末装置において、
前記アダプタは、商用電源に接続されて前記コードレスハンドセットの前記２次電池を充電する充電回路を備え、前記コードレスハンドセットの充電台と兼用されている
ことを特徴とする電話端末装置。
【発明の詳細な説明】
【技術分野】
【０００１】
この発明は、例えばボタン電話などのビジネス電話機として用いて好適な電話端末装置に関する。
【背景技術】
【０００２】
ボタン電話などのビジネス電話機においては、一般的には、ハンドセットは、コード接続型ハンドセットとされ、カールコードを介して、電話機本体の端子部に接続されるようにされている電話端末装置の構成とされているものが多い。しかし、カールコードでハンドセットが電話機本体に接続されているときには、時として、カールコードが邪魔になり、煩わしいことがある。
【０００３】
これに対して、例えば特許文献１（特開平５−３１６０３１号公報）に記載されているように、ハンドセットを無線送受信機能を備えるコードレスハンドセットとすると共に、このコードレスハンドセットと電話機本体との間を無線接続することにより、ハンドセットと電話機本体との間のカールコードをなくすことができる電話端末装置を用いるコードレスボタン電話システムも提案されている。
【０００４】
従来、上述のコード接続型ハンドセットを用いるタイプの電話端末装置と、コードレスハンドセットを用いるタイプの電話端末装置とは、それぞれ専用のハードウエア構成の、全く異なる装置として製作されている。
【０００５】
上記の特許文献は、次の通りである。
【特許文献１】特開平５−３１６０３１号公報
【発明の開示】
【発明が解決しようとする課題】
【０００６】
ところで、ビジネス電話機は、事務所などにおいて複数のスタッフに１台の割合で設置されたり、各スタッフ一人一人に１台が割り当てられて使用されたりするなど、職場の環境により、その使用態様は種々の形態を取る。そして、その使用態様によって、コード接続型ハンドセットタイプの電話端末装置の方が便利であったり、コードレスハンドセットタイプの電話端末装置の方が便利であったりする。
【０００７】
そこで、ビジネス電話システムを事業所に導入するときに、主装置に接続する複数個の電話端末装置は、その使用環境に応じて、コード接続型ハンドセットタイプの電話端末装置とコードレスハンドセットタイプの電話端末装置のいずれか一方を採用したり、両方を混在させて採用したりしている。
【０００８】
しかしながら、従来のシステムにおいては、移動などにより職場の環境が変化した場合に、それまで使用していたタイプの電話端末装置を他のタイプの電話端末装置に変えたいときには、上述したように、従来は、それぞれのタイプの電話端末装置が、専用のハードウエア構成の装置として構成されていたので、当該電話端末装置を他のタイプのものに交換する必要があり、非常にコスト高となる問題がある。
【０００９】
この発明は、以上の点にかんがみ、比較的安価なコストで、コード接続型ハンドセットタイプと、コードレスハンドセットタイプとに、相互に変更することができる電話端末装置を提供することを目的とする。
【課題を解決するための手段】
【００１０】
上記の課題を解決するために、この発明は、
一端側がコード接続型ハンドセットに接続されているカールコードの他端側が接続される端子部を備える電話機本体と、
２次電池を電源として備え、無線送受信部を有するコードレスハンドセットと、
前記電話機本体の前記端子部に、前記コード接続型ハンドセットに代えて接続されて、前記電話機本体と前記コードレスハンドセットとの間でやり取りされる信号を無線により送受信するための無線送受信部を有するアダプタと、
を備え、
前記電話機本体は、
前記アダプタが前記端子部に接続されたとき、前記アダプタが前記端子部に接続されたことを検出するアダプタ接続検出手段を有し、
前記アダプタ接続検出手段で、前記アダプタが前記端子部に接続されたことを検出したときには、前記コード接続型ハンドセットの載置部のフックスイッチを無視するようにする
ことを特徴とする電話端末装置を提供する。
【００１１】
上述の構成のこの発明において、コード接続型ハンドセットタイプから、コードレスハンドセットタイプの電話端末装置に変更する場合には、まず、カールコードを電話機本体の端子部から取り外して、電話機本体から、コード接続型ハンドセットを取り外す。
【００１２】
そして、アダプタと、コードレスハンドセットを用意し、アダプタを、コード接続型ハンドセットを取り外した端子部に接続する。すると、電話機本体は、アダプタが接続されたことをアダプタ接続検出手段により検出し、コード接続型ハンドセットの載置部のフックスイッチを無視して、アダプタとの通信を行う状態になる。これにより、コードレスハンドセットと、電話機本体との間での無線通信が、アダプタを介して可能になり、コードレスハンドセットタイプの電話端末装置になる。
【００１３】
逆の場合には、アダプタを電話機本体の端子部から取り外し、当該アダプタが取り外された端子部にカールコードによりコード接続型ハンドセットを接続するようにすれば、電話端末装置は、コード接続型ハンドセットタイプの電話端末装置となる。
【発明の効果】
【００１４】
この発明によれば、電話機本体の端子部に対して、コード接続型ハンドセットが接続されたカールコードを接続するか、コードレスハンドセットと無線接続されるアダプタを接続するかを選択することにより、コード接続型ハンドセットタイプと、コードレスハンドセットタイプとのいずれにもなる電話端末装置を実現することができる。
【００１５】
この場合、電話機本体は、いずれのタイプの場合にも用いられるので、安価に２つのタイプの電話端末装置を実現することができる。
【発明を実施するための最良の形態】
【００１６】
以下、この発明による電話端末装置の実施形態を、図を参照しながら説明する。
【００１７】
図１は、実施形態の電話端末装置をコード接続型ハンドセットタイプとして接続した場合の構成を示す図である。また、図２は、実施形態の電話端末装置をコードレスハンドセットタイプとして接続した場合の構成を示す図である。
【００１８】
図１に示すように、実施形態の電話端末装置は、コード接続型ハンドセットタイプの場合、電話機本体１と、コード接続型ハンドセット２と、カールコード３とからなる。電話機本体１は、接続ケーブル４を通じてボタン電話システムの主装置に接続される。
【００１９】
電話機本体１は、コード接続型ハンドセット２と一端が接続されているカールコード３の他端に設けられているモジュラープラグ（図示は省略）が挿入されるモジュラージャック（図示は省略）からなる端子部１１を備える。
【００２０】
また、電話機本体１は、テンキーやファンクションキーを含むキー操作部１２を備えると共に、例えばＬＣＤ（Ｌｉｑｕｉｄ  Ｃｒｙｓｔａｌ  Ｄｉｓｐｌａｙ）からなる表示部１３を備えている。さらに、電話機本体１には、ハンドセット２の送話部２１および受話部２２を収納する凹部１４ａ，１４ｂを具備する載置部１４が形成されている。そして、受話部が収納される凹部１４ｂには、ハンドセット２の受話部２２の、当該凹部１４ｂへの収納載置、凹部１４ｂからの取り出しの操作により、オン、オフされるフックスイッチ１５が設けられている。
【００２１】
次に、図２に示すように、この実施形態の電話端末装置は、コードレスハンドセットタイプの場合、前記電話機本体１と、アダプタ５と、コードレスハンドセット６と、充電台７とからなる。
【００２２】
すなわち、このコードレスハンドセットタイプの場合、コード接続型ハンドセット２と接続されているカールコード３に代わって、アダプタ５と接続されている接続コード５ａが、電話機本体１の端子部１１に接続される。この場合、接続ケーブル５ａの端子部１１と接続する端部には、モジュラージャックからなる端子部１１に挿入接続されるモジュラープラグ（図示は省略）が設けられている。
【００２３】
アダプタ５は、コードレスハンドセット６と電波により制御データおよび通話音声データの授受を行うためのアンテナ５１および無線送受信用の回路部と、電話機本体１との間で制御信号および通話音声信号の授受を行う回路部とを備える。このアダプタ５の構成の詳細は、後述する。
【００２４】
コードレスハンドセット６は、アダプタ５との間で、電波により、制御データおよび通話音声データの授受を行うためのアンテナ６１および無線送受信用の回路部を備えると共に、受話用のスピーカ６２と、送話用のマイクロホン６３と、テンキーなどのキー操作部６４と、例えばＬＣＤからなる表示部６５とを備えている。また、コードレスハンドセット６は、電源として充電式である２次電池を内蔵している。
【００２５】
充電台７には、ＡＣプラグ７１がＡＣコード７２を通じて接続されており、ＡＣプラグ７１がＡＣコンセントに挿入されることにより、充電台７には商用交流電源が供給されるようにされている。そして、充電台７には、コードレスハンドセット６が載置されたときに、コードレスハンドセット６の充電端子と接続される電極が設けられており、商用交流電源によりコードレスハンドセット６の２次電池が充電されるように構成されている。
【００２６】
次に、電話機本体１、アダプタ５およびコードレスハンドセット６のそれぞれの詳細な構成について説明する。なお、コード接続型ハンドセット２は従来と同様の構成を有するものであるので、ここでは、その詳細な構成についての説明は省略する。
【００２７】
図３は、電話機本体１のハードウエア構成例を示すブロック図である。電話機本体１は、データ送受信部１０１と、コーデック部１０２と、ＣＰＵ（Ｃｅｎｔｒａｌ  Ｐｒｏｃｅｓｓｉｎｇ  Ｕｎｉｔ）およびメモリを備えるマイクロコンピュータで構成される制御部１０３と、通話回路部１０４と、受電回路１０５と、電源回路１０６と、アダプタ接続検出回路１０７と、ハンドセットインターフェース１０８とを備える。
【００２８】
接続ケーブル４を通じて主装置と接続されている端子１６は、データ送受信部１０１に接続されるとともに、受電回路１０５を通じて電源回路１０６と接続されている。受電回路１０５は、主装置から送られてくる直流電圧を受け、電源回路１０６に供給する。電源回路１０６は、受け取った直流電圧から電話機本体１の各部に供給する電源電圧を生成して、当該各部に供給するようにする。
【００２９】
データ送受信部１０１は、主装置から受け取った制御信号や通話音声信号をコーデック部１０２に転送すると共に、コーデック部１０２から受け取った制御信号や通話音声信号を端子１６を通じて主装置に供給するようにする。
【００３０】
コーデック部１０２は、データ送受信部１０１から受け取った制御信号をデコードして、制御部１０３に供給するとともに、データ送受信部から受け取った通話音声信号をデコードして、通話回路部１０４に供給する。コーデック部１０２は、また、制御部１０３から送られてくる制御信号をコーディング（符号化）して、データ送受信部１０１に送出すると共に、通話回路部１０４から送られてくる通話音声信号をコーディングして、データ送受信部１０１に送出する。
【００３１】
制御部１０３には、キー操作部１２、ＬＣＤ１３、フックスイッチ１５が接続されていると共に、端子部１１の制御信号用端子１１ｂがアダプタ接続検出回路１０７を介して接続されている。
【００３２】
制御部１０３は、端子部１１にコード接続型ハンドセット２２が接続されていて、フックスイッチ１５が有効とされているときには、フックスイッチ１５のオン・オフ状態（オンフックまたはオフフックの状態）により、発信や着信応答を検知する。そして、オフフック状態を検出した後に、キー操作部１２を通じて電話番号の入力があると、入力された電話番号に宛てた発信処理を行うようにする。そして、制御部１０３は、ＬＣＤ１３の画面には、発信時に入力された電話番号を表示したり、時計表示をしたりする。なお、図示は省略したが、制御部１０３は、着信時のリンガー鳴動の処理も行う。
【００３３】
後述もするように、アダプタ接続検出回路１０７は、端子部１１にアダプタ５が接続されたときに、それを検出して制御部１０３に通知する。制御部１０３は、アダプタ接続検出回路１０７からアダプタ５が接続されたことの通知を受け付けると、フックスイッチ１５のオン・オフ状態を無視して、端子部１１の制御信号用端子１１ｂを通じて受け取る制御信号に基づいて、オンフック状態、オフフック状態を検出するようにする。また、アダプタ５の接続時には、制御部１０３は、発信時の電話番号情報なども、アダプタ５を通じて受け取るようにする。
【００３４】
なお、アダプタ５が端子部１１に接続されているときには、アダプタ５と制御部１０３との間でやり取りされる制御信号は、このアダプタ接続検出回路１０７は、そのまま通過するようにされている。
【００３５】
通話回路部１０４は、コーデック部１０２から受け取った通話音声信号を、ハンドセットインターフェース１０８を通じて端子部１１の通話信号用端子１１ａに供給する。そして、ユーザのキー操作部１２を通じて、ハンズフリー通話モードが指定された場合には、通話回路部１０４は、アンプ１０９を通じて内蔵のスピーカ１１０に供給して音響出力するようにする。
【００３６】
通話回路部１０４は、また、端子部１１の通話信号用端子１１ａを通じて送られてくる通話音声信号をハンドセットインターフェース１０８を通じて受け取り、コーデック部１０２に供給する。また、ハンズフリー通話モードにおいては、マイクロホン１１１により収音された音声信号がアンプ１１２を通じて通話回路部１０４に供給され、コーデック部１０２に渡される。
【００３７】
端子部１１は、この実施形態の電話機本体１においては、前述もしたように、通話用端子１１ａと、制御信号用端子１１ｂと、電源供給用端子１１ｃとを備えている。電源供給用端子１１ｃには、電源回路１０６からの電源電圧が供給されており、この電源電圧がアダプタ５に、その内部回路用の電源電圧として供給されるものである。
【００３８】
制御信号用端子１１ｂと、電源供給用端子１１ｃとは、コード接続型ハンドセットが接続されているカールコード３が端子部１１に接続される場合には、用いられない端子である。すなわち、コード接続型ハンドセット２が端子部１１に接続されるときには、制御信号用端子１１ｂと、電源供給用端子１１ｃとは、コード接続型ハンドセット２には接続されずに、遊端となっている。
【００３９】
アダプタ接続検出回路１０７は、アダプタ５が端子部１１に接続されたときに、電源供給用端子１１ｃを通じてアダプタ５に電源が供給されることにより、端子１１ｂがアクティブになることを検出して、アダプタ５が端子部１１に接続されたことを検出し、その検出出力を制御部１０３に通知するようにする。
【００４０】
次に、アダプタ５の構成例について、図４を参照しながら説明する。すなわち、図４に示すように、この実施形態のアダプタ５は、電話機本体１の端子部１１の通話信号用端子１１ａおよび制御信号用端子１１ｂに接続されるコーデック部５２と、無線送受信制御部５３と、電源回路５４とからなる。電源回路５４は、電話機本体１の端子部１１の電源供給用端子１１ｃに接続される。
【００４１】
コーデック部５２は、電話機本体１からの制御信号や通話信号をコーディングして無線送受信制御部５３に転送すると共に、無線送受信制御部５３からの制御信号や通話信号をデコードして、電話機本体１に渡すようにする。
【００４２】
無線送受信制御部５３は、アンテナ５１を介して、コードレスハンドセット６と無線送受信を行うためのもので、図示は省略したが、無線送受信回路と、マイクロコンピュータを備えて構成される制御回路とからなる。
【００４３】
前述もしたように、アダプタ５が電話機本体１の端子部１１に接続されると、電源回路５４に電話機本体１から給電され、コーデック部５２および無線送受信制御部５３に電源電圧が供給されることにより、端子部１１の制御信号用端子１１ｂがアクティブ状態になるので、電話機本体１のアダプタ接続検出回路１０７は、これを検知することにより、アダプタ５が端子部１１に接続されたことを検出する。
【００４４】
次に、コードレスハンドセット６の構成例を、図５を参照しながら説明する。この実施形態のコードレスハンドセット６は、図５に示すように、アンテナ６１に接続される無線送受信制御部６０１と、コーデック部６０２と、アンプ６０３および６０４と、スピーカ６２と、マイクロホン６３と、充電回路６０５と、２次電池６０６と、電源回路６０７とからなっている。
【００４５】
無線送受信制御部６０１は、アンテナ６１を介して、アダプタ５と無線送受信を行うためのもので、図示は省略したが、無線送受信回路と、マイクロコンピュータを備えて構成される制御回路とからなる。
【００４６】
コーデック部６０２は、アダプタ５から送られてくる電話機本体１からの通話信号をデコードして通話音声信号を得、その通話音声信号をアンプ６０３を通じてスピーカ６２に供給することにより、音響再生する。また、マイクロホン６３で収音した送話音声信号は、アンプ６０４を通じてコーデック部６０２に供給され、コーディングされて無線送受信制御部６０１に転送され、無線送受信制御部６０１からアダプタ５に対して無線送信される。
【００４７】
コードレスハンドセット６は、充電用端子６６を備え、充電台７にコードレスハンドセット６が載置されると、この充電用端子６６が充電台７の充電用電極と接続される。したがって、充電台７にコードレスハンドセット６が載置された状態においては、充電回路６０５により２次電池６０６が充電される。そして、２次電池６０６からの電圧が電源回路６０７に供給され、電源回路６０７で各部に供給する電源電圧が生成される。
【００４８】
なお、以上説明したコードレスハンドセット６の構成は、従来のコードレスハンドセットと同様の構成である。
【００４９】
［実施形態の電話端末装置の使用態様］
この実施形態の電話端末装置においては、使用者が、図１に示したように、電話機本体１の端子部１１に、コード接続型ハンドセット２に接続されているカールコード３を接続すると、電話機本体１のアダプタ接続検出回路１０７では、アダプタ５の接続は検出されないので、制御部１０３は、フックスイッチ１５の状態を監視する状態になり、電話端末装置は、コード接続型ハンドセットタイプとして使用される状態になる。
【００５０】
また、使用者が、図２に示すように、電話機本体１の端子部１１に、アダプタ５に接続されている接続コード５ａを接続すると、電話機本体１のアダプタ接続検出回路１０７でアダプタ５の接続が検出されて、そのことが制御部１０３に通知される。このため、制御部１０３は、フックスイッチ１５の状態を無視して、アダプタ５を通じて得られる制御信号を監視する状態になり、電話端末装置は、コードレスハンドセットタイプとして使用される状態になる。
【００５１】
したがって、コード接続型ハンドセットタイプとして電話端末装置を使用していた使用者が、コードレスハンドセットタイプの電話端末装置へ変更したい場合には、電話端末装置の全体を新たに購入するのではなく、アダプタ５と、コードレスハンドセット６と、充電台７とを購入し、カールコード３に代えて、アダプタ５の接続コード５ａを、電話機本体１の端子部１１に接続するだけで、電話端末装置をコードレスハンドセットタイプに変更することができる。
【００５２】
［変形例］
上述の実施形態では、アダプタ５と充電台７とは別個のものとしたが、アダプタの構成を充電台兼用とすることができる。図６は、その場合の電話端末装置の構成例を示す図である。
【００５３】
すなわち、この例の場合において、電話端末装置をコードレスハンドセットタイプとして使用する場合には、充電台兼用アダプタ８に接続されている接続コード８ａが、電話機本体１の端子部１１に接続される。
【００５４】
この例の場合には、充電台兼用アダプタ８にはＡＣプラグ８ｂが接続されていて、充電台兼用アダプタ８は、電源電圧として、商用交流電源からの商用交流電圧を受けるようにされている。このため、充電台兼用アダプタ８は、電話機本体１から電源電圧の供給を受ける必要はなく、その結果、端子部１１には端子１１ｃは設ける必要はない。
【００５５】
この例の場合においても、アダプタ８が端子部１１に接続されたときに、接続用端子１１ｂがアクティブになることをアダプタ接続検出回路１０７が検出して、アダプタ８の接続を検出することができる。
【００５６】
なお、以上の例は、ボタン電話システムの主装置に接続される電話端末装置に、この発明を適用した場合であるが、この発明は、単独で用いられる電話端末装置にも適用できることは言うまでもない。
【図面の簡単な説明】
【００５７】
【図１】この発明による電話端末装置の実施形態を説明するための図である。
【図２】この発明による電話端末装置の実施形態を説明するための図である。
【図３】実施形態の電話端末装置の電話機本体の構成例を示すブロック図である。
【図４】実施形態の電話端末装置のアダプタの構成例を示すブロック図である。
【図５】実施形態の電話端末装置のコードレスハンドセットの構成例を示すブロック図である。
【図６】この発明による電話端末装置の他の実施形態を説明するための図である。
【符号の説明】
【００５８】
１  電話機本体
２  コード接続型ハンドセット
３  カールコード
５  アダプタ
６  コードレスハンドセット
７  充電台
８  充電台兼用アダプタ
【図１】
2005286760.tif 000003
【図２】
2005286760.tif 000004
【図３】
2005286760.tif 000005
【図４】
2005286760.tif 000006
【図５】
2005286760.tif 000007
【図６】
2005286760.tif 000008